【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
ポリ乳酸ポリマー基材、及び
（ｉ）少なくとも１種の立体障害性アミン安定剤と、
（ｉｉ）有機ハロゲン化物難燃剤、燐含有物難燃剤、イソシアヌレート難燃剤及びメラミンベースの難燃剤からなる群から選択された少なくとも１種の慣用の難燃剤との相乗混合物、
を含む難燃性ポリ乳酸ポリマー組成物。
【請求項２】
前記成分（ｉ）の安定剤が次式：
【化１】
2006528254.tif 000001
［式中、
Ｇ1 及びＧ2 は独立して炭素原子数１ないし８のアルキル基を表わし、又は、一緒になってペンタメチレン基を表わし、
Ｚ1 及びＺ2 はそれぞれメチル基を表わし、又は、Ｚ1 及びＺ2 は一緒になって、エステル基、エーテル基、アミド基、アミノ基、カルボキシ基又はウレタン基により更に置換され得る結合部分を形成し、そして、
Ｅはオキシル基、ヒドロキシル基、アルコキシ基、シクロアルコキシ基、アルアルコキシ基、アリールオキシ基；−Ｏ−ＣＯ−ＯＺ3 基、−Ｏ−Ｓｉ（Ｚ4 ）3 基、−Ｏ−ＰＯ（ＯＺ5 ）2 基又は−Ｏ−ＣＨ2 −ＯＺ6 基（これらの式中、Ｚ3 、Ｚ4 、Ｚ5 及びＺ6 は水素原子、脂肪族部分、芳香脂肪族部分及び芳香族部分からなる群から選択されている。）を表わし、或いは、Ｅは−Ｏ−Ｔ−（ＯＨ）b 基を表わし、
Ｔは炭素原子数１ないし１８の直鎖状又は分岐鎖状アルキレン基、炭素原子数５ないし
１８のシクロアルキレン基、炭素原子数５ないし１８のシクロアルケニレン基；フェニル基により又は、炭素原子数１ないし４のアルキル基１個又は２個により置換されたフェニル基により置換された炭素原子数１ないし４の直鎖状又は分岐鎖状アルキレン基を表わし、そして、
ｂは１、２又は３を表わすが、但し、該ｂはＴにおける炭素原子数を越えることができず、そして、ｂが２又は３を表わす場合、それぞれのヒドロキシル基は、Ｔの異なる炭素原子に結合されている。］で表わされるものである請求項１記載の組成物。
【請求項３】
前記成分（ｉ）の安定剤が次式ＡないしＲ：
【化２】
2006528254.tif 000002
【化３】
2006528254.tif 000003
【化４】
2006528254.tif 000004
【化５】
2006528254.tif 000005
【化６】
2006528254.tif 000006
［これらの式中、
Ｅはオキシル基、ヒドロキシル基、炭素原子数１ないし１８のアルコキシ基、炭素原子数５ないし１２のシクロアルコキシ基又は炭素原子数７ないし１５のアルアルコキシ基を表わし、或いは、Ｅは−Ｏ−Ｔ−（ＯＨ）b 基を表わし、
Ｔは炭素原子数１ないし１８の直鎖状又は分岐鎖状アルキレン基、炭素原子数５ないし１８のシクロアルキレン基、炭素原子数５ないし１８のシクロアルケニレン基；フェニル基により又は、炭素原子数１ないし４のアルキル基１個又は２個により置換されたフェニル基により置換された炭素原子数１ないし４の直鎖状又は分岐鎖状アルキレン基を表わし、
ｂは１、２又は３を表わすが、但し、該ｂはＴにおける炭素原子数を越えることができず、そして、ｂが２又は３を表わす場合、それぞれのヒドロキシル基は、Ｔの異なる炭素原子に結合されており、
Ｒは水素原子又はメチル基を表わし、
ｍは１ないし４を表わし、
ｍが１を表わす場合、
Ｒ2 は水素原子、炭素原子数１ないし１８のアルキル基又は、所望により、１個又はそれより多くの酸素原子により中断された前記アルキル基、炭素原子数２ないし１２のアルケニル基、炭素原子数６ないし１０のアリール基、炭素原子数７ないし１８のアルアルキル基、グリシジル基；脂肪族、脂環式又は芳香族カルボン酸の、或いはカルバミン酸の、５個ないし１２個の炭素原子を有する脂環式カルボン酸の、或いは７個ないし１５個の炭素原子を有する芳香族カルボン酸の一価アシル基、或いは、次式：
【化７】
2006528254.tif 000007
（式中、ｘは０又は１を表わす。）で表わされる基、次式：
【化８】
2006528254.tif 000008
（式中、ｙは２ないし４を表わす。）で表わされる基を表わし、
ｍが２を表わす場合、
Ｒ2 は炭素原子数１ないし１２のアルキレン基、炭素原子数４ないし１２のアルケニレン基、キシリレン基；脂肪族、脂環式、芳香脂肪族又は芳香族ジカルボン酸の、或いはジカルバミン酸の、２個ないし１８個の炭素原子を有する脂肪族ジカルボン酸の、８個ないし１４個の炭素原子を有する脂環式又は芳香族ジカルボン酸の、或いは８個ないし１４個の炭素原子を有する脂肪族、脂環式又は芳香族ジカルバミン酸の二価アシル基、次式：
【化９】
2006528254.tif 000009
（式中、Ｄ1 及びＤ2 は独立して水素原子、８個までの炭素原子を含むアルキル基、３，５−ジ第三ブチル−４−ヒドロキシベンジル基を含むアリール又はアルアルキル基を表わし、Ｄ3 は水素原子或いは、１８個までの炭素原子を含むアルキル又はアルケニル基を表わし、そして、ｄは０ないし２０を表わす。）で表わされる基を表わし、
ｍが３を表わす場合、
Ｒ2 は脂肪族、不飽和脂肪族、脂環式又は芳香族トリカルボン酸の三価アシル基を表わし、
ｍが４を表わす場合、
Ｒ2 は１，２，３，４−ブタンテトラカルボン酸、１，２，３，４−ブト−２−エン−テトラカルボン酸並びに、１，２，３，５−及び１，２，４，５−ペンタンテトラカルボン酸を含む飽和又は不飽和脂肪族或いは芳香族テトラカルボン酸の四価アシル基を表わし、
ｐは１、２又は３を表わし、
Ｒ3 は水素原子、炭素原子数１ないし１２のアルキル基、炭素原子数５ないし７のシクロアルキル基、炭素原子数７ないし９のアルアルキル基、炭素原子数２ないし１８のアルカノイル基、炭素原子数３ないし５のアルケノイル基又はベンゾイル基を表わし、
ｐが１を表わす場合、
Ｒ4 は水素原子、炭素原子数１ないし１８のアルキル基、炭素原子数５ないし７のシクロアルキル基；非置換又はシアノ基、カルボニル基又はカルバミド基により置換された炭素原子数２ないし８のアルケニル基；アリール基、アルアルキル基を表わし、或いは、Ｒ4 はグリシジル基、式−ＣＨ2 −ＣＨ（ＯＨ）−Ｚで表わされる基又は式−ＣＯ−Ｚ若しくは式−ＣＯＮＨ−Ｚで表わされる基（これらの式中、Ｚは水素原子、メチル基又はフェニル基を表わす。）を表わし；或いは、次式：
【化１０】
2006528254.tif 000010
又は次式：
【化１１】
2006528254.tif 000011
（式中、ｈは０又は１を表わす。）で表わされる基を表わし、
ｐが１を表わす場合、
Ｒ3 及びＲ4 は一緒になって炭素原子数４ないし６のアルキレン基又は２−オキソポリアルキレン基；脂肪族又は芳香族１，２−又は１，３−ジカルボン酸の環状アシル基を表わし、
ｐが２を表わす場合、
Ｒ4 は直接結合又は、炭素原子数１ないし１２のアルキレン基、炭素原子数６ないし１２のアリーレン基、キシリレン基、−ＣＨ2 ＣＨ（ＯＨ）−ＣＨ2 −基又は基−ＣＨ2 ＣＨ（ＯＨ）−ＣＨ2 −Ｏ−Ｘ−Ｏ−ＣＨ2 ＣＨ（ＯＨ）−ＣＨ2 −（式中、Ｘは炭素原子数２ないし１０のアルキレン基、炭素原子数６ないし１５のアリーレン基又は炭素原子数６ないし１２のシクロアルキレン基を表わす。）を表わし；或いは、Ｒ3 がアルカノイル基、アルケノイル基又はベンゾイル基表わさないという条件において、Ｒ4 はまた脂肪族、脂環式又は芳香族ジカルボン酸の又は、ジカルバミン酸の二価アシル基を表わし得、又は、基−ＣＯ−を表わし得、或いは、
Ｒ4 は次式：
【化１２】
2006528254.tif 000012
（式中、Ｔ8 及びＴ9 は独立して水素原子、炭素原子数１ないし１８のアルキル基を表わし、又は、Ｔ8 及びＴ9 は一緒になって炭素原子数４ないし６のアルキレン基又は３−オキサペンタメチレン基を表わす。）を表わし、
ｐが３を表わす場合、
Ｒ4 は２，４，６−トリアジニル基を表わし、
ｎは１又は２を表わし、
ｎが１を表わす場合、
Ｒ5 及びＲ’5 は独立して炭素原子数１ないし１２のアルキル基、炭素原子数２ないし１２のアルケニル基、炭素原子数７ないし１２のアルアルキル基を表わし、或いはＲ5 はまた水素原子を表わし、或いは、Ｒ5 及びＲ’5 は一緒になって炭素原子数２ないし８のアルキレン基又はヒドロキシアルキレン基又は炭素原子数４ないし２２のアシルオキシア
ルキレン基を表わし、
ｎが２を表わす場合、
Ｒ5 及びＲ’5 は一緒になって（−ＣＨ2 ）2 Ｃ（ＣＨ2 −）2 基を表わし、
Ｒ6 は水素原子、炭素原子数１ないし１２のアルキル基、アリル基、ベンジル基、グリシジル基又は炭素原子数２ないし６のアルコキシアルキル基を表わし、
ｎが１を表わす場合、
Ｒ7 は水素原子、炭素原子数１ないし１２のアルキル基、炭素原子数３ないし５のアルケニル基、炭素原子数７ないし９のアルアルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基；式−（ＣＨ2 ）t −ＣＯＯ−Ｑ又は式−（ＣＨ2 ）t −Ｏ−ＣＯ−Ｑ（これらの式中、ｔは１又は２を表わし、そしてＱは炭素原子数１ないし４のアルキル基又はフェニル基を表わす。）で表わされる基を表わし、或いは、
ｎが２を表わす場合、
Ｒ7 は炭素原子数２ないし１２のアルキレン基、炭素原子数６ないし１２のアリーレン基、基−ＣＨ2 ＣＨ（ＯＨ）−ＣＨ2 −Ｏ−Ｘ−Ｏ−ＣＨ2 ＣＨ（ＯＨ）−ＣＨ2 −（式中、Ｘは炭素原子数２ないし１０のアルキレン基、炭素原子数６ないし１５のアリーレン基又は炭素原子数６ないし１２のシクロアルキレン基を表わす。）を表わし、又は、基−ＣＨ2 ＣＨ（ＯＺ’）ＣＨ2 −（ＯＣＨ2 −ＣＨ（ＯＺ）ＣＨ2 ）2 −（式中、Ｚ’は水素原子、炭素原子数１ないし１８のアルキル基、アリル基、ベンジル基、炭素原子数２ないし１２のアルカノイル基又はベンゾイル基を表わす。）を表わし、
Ｑ1 は−Ｎ（Ｒ8 ）−基又は−Ｏ−基を表わし；Ｅ7 は炭素原子数１ないし３のアルキレン基、基−ＣＨ2 −ＣＨ（Ｒ9 ）−Ｏ−（式中、Ｒ9 は水素原子、メチル基又はフェニル基を表わす。）、基−（ＣＨ2 ）3 −ＮＨ−又は直接結合を表わし、
Ｒ10は水素原子又は炭素原子数１ないし１８のアルキル基を表わし、
Ｒ8 は水素原子、炭素原子数１ないし１８のアルキル基、炭素原子数５ないし７のシクロアルキル基、炭素原子数７ないし１２のアルアルキル基、シアノエチル基、炭素原子数６ないし１０のアリール基、基−ＣＨ2 −ＣＨ（Ｒ9 ）−ＯＨ（式中、Ｒ9 は上で定義された意味を有する。）、次式：
【化１３】
2006528254.tif 000013
で表わされる基又は次式：
【化１４】
2006528254.tif 000014
（式中、Ｇ4 は炭素原子数２ないし６のアルキレン基又は炭素原子数６ないし１２のアリーレン基を表わす。）で表わされる基を表わし、又は、Ｒ8 は基−Ｅ7 −ＣＯ−ＮＨ−ＣＨ2 −ＯＲ10を表わし、
ポリマーの反復構造単位を示す式Ｆ（式中、Ｔ3 はエチレン基又は１，２−プロピレンを表わす。）は、アルキルアクリレート又はメタクリレートとのα−オレフィンのコポリマーから誘導された繰り返し構造単位であり、そして前記式中、ｋは２ないし１００を表わし、
Ｔ4 は、ｐが１又は２を表わす場合のＲ4 における意味と同じ意味を有し、
Ｔ5 はメチル基を表わし、
Ｔ6 はメチル基又はエチル基を表わし、或いは、Ｔ5 及びＴ6 は一緒になってテトラメチレン基又はペンタメチレン基を表わし、
Ｍ及びＹは独立してメチレン基又はカルボニル基を表わし、そしてｎが２を表わす場合、Ｔ4 はエチレン基を表わし、
Ｔ7 はＲ7 における意味と同じ意味を表わし、
Ｔ10及びＴ11は独立して炭素原子数２ないし１２のアルキレン基を表わし、又は、Ｔ11は次式：
【化１５】
2006528254.tif 000015
で表わされる基を表わし、
Ｔ12はピペラジニル基、−ＮＲ11−（ＣＨ2 ）d ＮＲ11−基（式中、Ｒ11はＲ3 における意味と同じ意味を表わすか、或いは、更に次式：
【化１６】
2006528254.tif 000016
で表わされる基を表わし、又は次式：
【化１７】
2006528254.tif 000017
（式中、ａ、ｂ及びｃは独立して２又は３を表わし、そしてｆは０又は１を表わす。）で表わされる基を表わし、そして、
ｅは２、３又は４を表わし、
Ｔ13はＲ2 における意味と同じ意味を表わすが、但し、Ｔ13は、ｎが１を表わす場合に、水素原子を表わし得ず、
Ｅ1 及びＥ2 は異なっており、それぞれ−ＣＯ−基又は−Ｎ（Ｅ5 ）−基（式中、Ｅ5 は水素原子、炭素原子数１ないし１２のアルキル基又は炭素原子数４ないし２２のアルコキシカルボニルアルキル基を表わす。）を表わし、
Ｅ3 は水素原子、炭素原子数１ないし３０のアルキル基、フェニル基、ナフチル基；塩素原子により又は炭素原子数１ないし４のアルキル基により置換された前記フェニル基又は前記ナフチル基、或いは炭素原子数７ないし１２のフェニルアルキル基、或いは炭素原子数１ないし４のアルキル基により置換された前記フェニルアルキル基を表わし、
Ｅ4 は水素原子、炭素原子数１ないし３０のアルキル基、フェニル基、ナルチル基又は炭素原子数７ないし１２のフェニルアルキル基を表わし、或いは、
Ｅ3 及びＥ4 は一緒になって炭素原子数４ないし１７のポリメチレン基、又は炭素原子数１ないし４のアルキル基４個までにより置換された前記ポリメチレン基を表わし、
Ｅ6 は脂肪族又は芳香族四価基を表わし、
式ＮのＲ2 は、ｍが１を表わす場合に先に定義された意味を表わし、
Ｇ1 は直接結合、炭素原子数１ないし１２のアルキレン基、フェニレン基又は−ＮＨ−Ｇ’−ＮＨ−基（式中、Ｇ’は炭素原子数１ないし１２のアルキレン基を表わす。）を表わす。］で表わされるものであり、
或いは、
前記立体障害性アミン化合物は次式Ｉ、ＩＩ、ＩＩＩ、ＩＶ、Ｖ、ＶＩ、ＶＩＩ、ＶＩＩＩ、ＩＸ、Ｘ又はＸＩ：
【化１８】
2006528254.tif 000018
【化１９】
2006528254.tif 000019
【化２０】
2006528254.tif 000020
【化２１】
2006528254.tif 000021
【化２２】
2006528254.tif 000022
［式中、
Ｅ1 、Ｅ2 、Ｅ3 及びＥ4 は独立して炭素原子数１ないし４のアルキル基を表わし、又はＥ1 及びＥ2 は独立して炭素原子数１ないし４のアルキル基を表わし、そしてＥ3 及びＥ4 は一緒になってペンタメチレン基を表わし、又はＥ1 及びＥ2 は、並びにＥ3 及びＥ4 は、それぞれ一緒になってペンタメチレン基を表わし、
Ｒ1 は炭素原子数１ないし１８のアルキル基、炭素原子数５ないし１２のシクロアルキル基、炭素原子数７ないし１２の二環式又は三環式炭化水素基、炭素原子数７ないし１５のフェニルアルキル基、炭素原子数６ないし１０のアリール基、又は炭素原子数１ないし８のアルキル基１個ないし３個により置換された前記アリール基を表わし、
Ｒ2 は水素原子又は炭素原子数１ないし１２の直鎖状又は分岐鎖状アルキル基を表わし、
Ｒ3 は炭素原子数１ないし８のアルキレン基を表わし、或いはＲ3 は−ＣＯ−基、−ＣＯ−Ｒ4 −基、−ＣＯＮＲ2 −基又は−ＣＯ−ＮＲ2 −Ｒ4 −基を表わし、
Ｒ4 は炭素原子数１ないし８のアルキレン基を表わし、
Ｒ5 は水素原子、炭素原子数１ないし１２の直鎖状又は分岐鎖状アルキル基を表わし、又は、次式：
【化２３】
2006528254.tif 000023
で表わされる基を表わし、或いは、
Ｒ4 がエチレン基を表わす場合、２個のＲ5 メチル置換基は、トリアジン結合基−Ｎ（Ｒ5 ）−Ｒ4 −Ｎ（Ｒ5 ）−がピペラジン−１，４−ジイル部分を表わすよう直接結合により結合され得、
Ｒ6 は炭素原子数２ないし８のアルキレン基を表わし、又はＲ6 は次式；
【化２４】
2006528254.tif 000024
で表わされる基を表わすが、但し、Ｙは、Ｒ6 が上記構造を表わす場合、−ＯＨ基を表わさず、
Ａは−Ｏ−基又は−ＮＲ7 −基（式中、
Ｒ7 は水素原子、炭素原子数１ないし１２の直鎖状又は分岐鎖状アルキル基を表わし、又はＲ7 は次式：
【化２５】
2006528254.tif 000025
で表わされる基を表わす。）を表わし、
Ｔはフェノキシ基、炭素原子数１ないし４のアルキル基１個又は２個により置換されたフェノキシ基、炭素原子数１ないし８のアルコキシ基又は−Ｎ（Ｒ2 ）2 基（但し、式中、Ｒ2 は水素原子を表わさない。）を表わし、或いはＴは次式：
【化２６】
2006528254.tif 000026
で表わされる基を表わし、
Ｘは−ＮＨ2 基、−ＮＣＯ基、−ＯＨ基、−Ｏ−グリシジル基又は−ＮＨＮＨ2 基を表わし、そして、
Ｙは−ＯＨ基、−ＮＨ2 基、−ＮＨＲ2 基（式中、Ｒ2 は水素原子を表わさない。）を表わし、或いはＹは−ＮＣＯ基、−ＣＯＯＨ基、オキシラニル基、−Ｏ−グリシジル基又は−Ｓｉ（ＯＲ2 ）3 を表わし、或いは組み合わせ基Ｒ3 −Ｙ−は−ＣＨ2 ＣＨ（ＯＨ）Ｒ2 基（式中、Ｒ2 はアルキル基又は、酸素原子１個ないし４個により中断された前記アルキル基を表わす。）を表わし、或いは基Ｒ3 −Ｙ−は−ＣＨ2 ＯＲ2 基を表わす。］で表わされる化合物であり、
或いは
前記立体障害性アミン化合物はＮ，Ｎ’，Ｎ”’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロプルアミン；Ｎ，Ｎ’，Ｎ”−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロプルアミン、並びに次式Ｉ、ＩＩ、ＩＩＡ及びＩＩＩ：
Ｒ1 ＮＨ−ＣＨ2 ＣＨ2 ＣＨ2 ＮＲ2 ＣＨ2 ＣＨ2 ＮＲ3 ＣＨ2 ＣＨ2 ＣＨ2 ＮＨＲ4 
（Ｉ）
Ｔ−Ｅ1 −Ｔ1               （ＩＩ）
Ｔ−Ｅ1                     （ＩＩＡ）
Ｇ−Ｅ1 −Ｇ−Ｅ1 −Ｇ2     （ＩＩＩ）
により記載される架橋誘導体の混合物を表わし、
前記式Ｉで表わされるテトラアミンにおいて、
Ｒ1 及びＲ2 はｓ−トリアジン部分Ｅを表わし、そしてＲ3 及びＲ4 の一方はｓ−トリアジン部分Ｅを表わし、Ｒ3 及びＲ4 の他方は水素原子を表わし、
Ｅは次式：
【化２７】
2006528254.tif 000027
で表わされる基を表わし、
Ｒはメチル基、プロピル基、シクロヘキシル基又はオクチル基を表わし、
Ｒ5 は炭素原子数１ないし１２のアルキル基を表わし、
前記式ＩＩ又はＩＩＡで表わされる化合物において、Ｒがプロピル基、シクロヘキシル基又はオクチル基を表わす場合、
Ｔ及びＴ1 はそれぞれ、式Ｉにおいて定義されたものと同じＲ1 ないしＲ4 により置換されたテトラアミンを表わし、
（１）それぞれのテトラアミンにおけるｓ−トリアジン部分Ｅの１個は、２個のテトラアミンＴ及びＴ1 の間の橋を形成する基Ｅ1 により置換されており、
Ｅ1 は次式：
【化２８】
2006528254.tif 000028
で表わされる基を表わし、或いは、
（２）基Ｅ1 は、テトラアミンのＥ部分の２個が１個のＥ1 基により置換されている式ＩＩＡにおける場合と同様にテトラアミンＴにおいて両閉鎖端を有し得、或いは、
（３）テトラアミンＴの３個のｓ−トリアジン置換基の全ては、１個のＥ1 がＴ及びＴ1 に結合し且つ第二のＥ1 がテトラアミンＴにおける両閉鎖端を有するよう、Ｅ1 であり得、
Ｌはプロパンジイル基、シクロヘキサンジイル基又はオクタンジイル基を表わし、
前記式ＩＩＩで表わされる化合物において、
Ｇ、Ｇ1 及びＧ2 はそれぞれ、前記式Ｉにおいて定義されたＲ1 ないしＲ4 により置換されたテトラアミンを表わし、但し、ＧとＧ1 の間に橋が存在し、且つＧ1 とＧ2 の間に第二の橋が存在するようＧ及びＧ2 はそれぞれ、Ｅ1 により置換されたｓ−トリアジン部分Ｅ１個を有し、そしてＧ1 はＥ1 により置換された前記トリアジン部分Ｅ２個を有し、
前記混合物は、２，４−ビス（１−ヒドロカルビルオキシ−２，２，６，６−テトラメ
チルピペリジン−４−イル）ブチルアミノ］−６−クロロ−ｓ−トリアジン２ないし４当量をＮ，Ｎ’−ビス（３−アミノプロピル）エチレンジアミン１当量と反応させることにより製造され、
或いは、
前記立体障害性アミンは次式ＩＩＩｂ：
【化２９】
2006528254.tif 000029
［式中、
指数ｎは１ないし１５の範囲を表わし、
Ｒ12は炭素原子数２ないし１２のアルキレン基、炭素原子数４ないし１２のアルケニレン基、炭素原子数５ないし７のシクロアルキレン基、炭素原子数５ないし７のシクロアルキレンジ（炭素原子数１ないし４のアルキレン）基、炭素原子数１ないし４のアルキレンジ（炭素原子数５ないし７のシクロアルキレン）基、フェニレンジ（炭素原子数１ないし４のアルキレン）基、或いは；１，４−ピペラジンジイル基、−Ｏ−基又は＞Ｎ−Ｘ1 基（式中、Ｘ1 は炭素原子数１ないし１２のアシル基を表わす。）又は（炭素原子数１ないし１２のアルコキシ）カルボニル基により中断された、又は、水素原子以外の以下で与えられたＲ14の定義の一つを有する、炭素原子数４ないし１２のアルキレン基を表わし、或いは、Ｒ12は下記式Ｉｂ’又はＩｃ’：
【化３０】
2006528254.tif 000030
【化３１】
2006528254.tif 000031
で表わされる基を表わし、
これらの式中、ｍは２又は３を表わし、
Ｘ2 は炭素原子数１ないし１８のアルキル基、非置換又は炭素原子数１ないし４のアルキル基１個、２個若しくは３個により置換された炭素原子数５ないし１２のシクロアルキ
ル基；非置換又は炭素原子数１ないし４のアルキル基若しくは炭素原子数１ないし４のアルコキシ基１個、２個若しくは３個により置換されたフェニル基；非置換又は炭素原子数１ないし４のアルキル基１個、２個若しくは３個によりフェニル基が置換された炭素原子数７ないし９のフェニルアルキル基を表わし、そして、
基Ｘ3 は互いに独立して炭素原子数２ないし１２のアルキレン基を表わし、
Ｒ13、Ｒ14及びＲ15は同一又は異なり、水素原子、炭素原子数１ないし１８のアルキル基、非置換又は炭素原子数１ないし４のアルキル基１個、２個若しくは３個により置換された炭素原子数５ないし１２のシクロアルキル基；炭素原子数３ないし１８のアルケニル基、非置換又は炭素原子数１ないし４のアルキル基若しくは炭素原子数１ないし４のアルコキシ基１個、２個若しくは３個により置換されたフェニル基；非置換又は炭素原子数１ないし４のアルキル基１個、２個若しくは３個によりフェニル基が置換された炭素原子数７ないし９のフェニルアルキル基；テトラヒドロフルフリル基、或いは、−ＯＨ基、炭素原子数１ないし８のアルコキシ基、ジ（炭素原子数１ないし４のアルキル）アミノ基又は次式Ｉｅ’：
【化３２】
2006528254.tif 000032
（式中、Ｙは−Ｏ−基、−ＣＨ2 −基、−ＣＨ2 ＣＨ2 −基又は＞Ｎ−ＣＨ3 基を表わす。）で表わされる基により２位、３位又は４位が置換された炭素原子数２ないし４のアルキル基を表わし、又は、−Ｎ（Ｒ14）（Ｒ15）は更に前記式Ｉｅ’で表わされる基を表わし、
基Ａは互いに独立して−ＯＲ13基、−Ｎ（Ｒ14）（Ｒ15）基又は次式ＩＩＩｄ：
【化３３】
2006528254.tif 000033
（式中、Ｘは−Ｏ−基又は＞ＮＲ16基を表わす。）で表わされる基を表わし、
Ｒ16は水素原子、炭素原子数１ないし１８のアルキル基、炭素原子数３ないし１８のアルケニル基、非置換又は炭素原子数１ないし４のアルキル基１個、２個若しくは３個により置換された炭素原子数５ないし１２のシクロアルキル基；非置換又は炭素原子数１ないし４のアルキル基１個、２個若しくは３個によりフェニル基が置換された炭素原子数７ないし９のフェニルアルキル基；テトラヒドロフルフリル基、次式ＩＩＩｆ：
【化３４】
2006528254.tif 000034
で表わされる基或いは、−ＯＨ基、炭素原子数１ないし８のアルコキシ基、ジ（炭素原子
数１ないし４のアルキル）アミノ基又は式Ｉｅ’で表わされる基により２位、３位又は４位が置換された炭素原子数２ないし４のアルキル基を表わし、
Ｒ11はＲ16のために与えられた定義の一つを有し、そして、
基Ｂは互いに独立してＡのために与えられた定義の一つを有する。］で表わされる化合物である請求項１記載の組成物。
【請求項４】
前記成分（ｉ）の立体障害性アミン安定剤が、
１−シクロヘキシルオキシ−２，２，６，６−テトラメチル−４−オクタデシルアミノピペリジン、
ビス（１−オクチルオキシ−２，２，６，６−テトラメチルピペリジン−４−イル）セバケート、
２，４−ビス［（１−シクロヘキシルオキシ−２，２，６，６−テトラメチルピペリジン−４−イル）ブチルアミノ］−６−（２−ヒドロキシエチルアミノ）−ｓ−トリアジン、
ビス（１−シクロヘキシルオキシ−２，２，６，６−テトラメチルピペリジン−４−イル）］アジペート、
２，４−ビス［（１−シクロヘキシルオキシ−２，２，６，６−テトラメチルピペリジン−４−イル）ブチルアミノ］−６−クロロ−ｓ−トリアジン、
１−（２−ヒドロキシ−２−メチルプロポキシ）−４−ヒドロキシ−２，２，６，６−テトラメチルピペリジン、
１−（２−ヒドロキシ−２−メチルプロポキシ）−４−オキソ−２，２，６，６−テトラメチルピペリジン、
１−（２−ヒドロキシ−２−メチルプロポキシ）−４−オクタデカノイルオキシ−２，２，６，６−テトラメチルピペリジン、
ビス（１−（２−ヒドロキシ−２−メチルプロポキシ）−２，２，６，６−テトラメチルピペリジン−４−イル）セバケート、
ビス（１−（２−ヒドロキシ−２−メチルプロポキシ）−２，２，６，６−テトラメチルピペリジン−４−イル）アジペート、
２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン、
２，４−ビス［（１−シクロヘキシルオキシ−２，２，６，６−テトラメチルピペリジン−４−イル）ブチルアミノ］−６−クロロ−ｓ−トリアジンとＮ，Ｎ’−ビス（３−アミノプロピル）エチレンジアミン）との反応生成物、並びに、
次式：
【化３５】
2006528254.tif 000035
（式中、ｎは１ないし１５を表わす。）で表わされる化合物からなる群から選択されている請求項１記載の組成物。
【請求項５】
前記成分（ｉｉ）の慣用の難燃剤が、
ポリ臭素化ジフェニルオキシド、
デカブロモジフェニルオキシド、
トリス［３−ブロモ−２，２−ビス（ブロモメチル）プロピル］ホスフェート、
トリス（２，３−ジブロモプロピル）ホスフェート、
トリス（２，３−ジクロロプロピル）ホスフェート、
クロレンド酸、
テトラクロロフタル酸、
テトラブロモフタル酸、
ビス（Ｎ，Ｎ’−ヒドロキシエチル）テトラクロルフェニレンジアミン、
ポリ−β−クロロエチルトリホスホネート混合物、
テトラブロモビスフェノールＡビス（２，３−ジブロモプロピルエーテル）、
臭素化エポキシ樹脂、
エチレン−ビス（テトラブロモフタルイミド）、
ビス（ヘキサクロロシクロペンタジエノ）シクロオクタン、
塩素化パラフィン、
オクタブロモジフェニルエーテル、
ヘキサクロロシクロペンタジエン誘導体、
１，２−ビス（トリブロモフェノキシ）エタン、
テトラブロモ−ビスフェノールＡ、
エチレンビス（ジブロモ−ノルボルナンジカルボキシイミド）、
ビス（ヘキサクロロシクロペンタジエノ）シクロオクタン、
ポリテトラフルオルエチレン、
トリス（２，３−ジブロモプロピル）イソシアヌレート、及び、
エチレン−ビス−テトラブロモフタルイミド、
テトラフェニルレゾルシノールジホスフィット、
テトラキス（ヒドロキシメチル）ホスホニウムスルフィド、
ジエチル−Ｎ，Ｎ−ビス（２−ヒドロキシエチル）アミノメチルホスホネート、
燐酸のヒドロキシアルキルエステル、
ポリ燐酸アンモニウム、
レゾルシノールジホスフェートオリゴマー、
ホスファゼン難燃剤、
エチレンジアミンジホスフェート、
ポリイソシアヌレート、
イソシアヌル酸のエステル、
イソシアヌル酸塩、
ヒドロキシアルキルイソシアヌレート、
メラミンシアヌレート、
メラミンボレート、
メラミンホスフェート、
メラミンポリホスフェート、
メラミンピロホスフェート、
メラミンポリ燐酸アンモニウム、
メラミンピロ燐酸アンモニウム、
ホスホネート及びそれらの金属塩、並びに、
ホスフィネート及びそれらの金属塩
からなる群から選択されている請求項１記載の組成物。